(57)【要約】【課題】煩雑な計算を要することなく、生年の元号や西暦に対応する年齢や、年齢に対応する生年を直感的に把握し、調べることを可能とする。【解決手段】本発明の年齢早見表は、円板上に元号及び元号に対応する西暦を放射状に順次表示した誕生データ円板２と、誕生データ円板２と同心円をなす円板上に、０に１ずつ加算した数値を、元号及び西暦と対比可能に、放射状に順次表示した年齢表示円板１と、重ねられた誕生データ円板２と年齢表示円板１とを回転可能に連結する回転軸部９とを有する。【選択図】      図１
2004164533.tif 000002
【特許請求の範囲】
【請求項１】
円板上に元号及び該元号に対応する西暦を放射状に順次表示した誕生データ円板と、
前記誕生データ円板と同心円をなす円板上に、０に１ずつ加算した数値を、前記元号及び西暦と対比可能に、放射状に順次表示した年齢表示円板と、
重ねられた前記誕生データ円板と前記年齢表示円板とを回転可能に連結する回転軸部と
を有することを特徴とする年齢早見表。
【請求項２】
前記誕生データ円板には、表示された元号又は西暦に対応させて、その年の十二支が放射状に順次表示されていることを特徴とする請求項１に記載の年齢早見表。
【請求項３】
前記回転軸部に回転可能に連結され、前記誕生データ円板の表裏から視認可能に、前記誕生データ円板上の元号又は西暦を指し示す生年表示部を有し、
前記誕生データ円板の裏面には、該誕生データ円板の表面に表示された元号又は西暦に対応した位置に、その年に関する情報が放射状に表示されていることを特徴とする請求項１又は２のいずれかに記載の年齢早見表。
【請求項４】
前記年に関する情報は、コンピュータで読み取り可能な形態で表示されていることを特徴とする請求項３に記載の年齢早見表。
【請求項５】
端部に連結用穴が複数設けられた台紙上に請求項１乃至４のいずれかに記載された年齢早見表を備えたことを特徴とする手帳用紙。
【発明の詳細な説明】
【０００１】
【発明の属する技術分野】
本発明は、年齢早見表及び手帳用紙に関する。
【０００２】
【従来の技術】
従来の年齢早見表は、元号欄、元号欄に対応する西暦欄、及びこれらに対応する年齢欄を設けた構成となっている。このような年齢早見表によれば、生年の元号や西暦から年齢を調べることができ、また、年齢から生年の元号や西暦を調べることができる。
【０００３】
ところが、このような従来の年齢早見表は、現在の元号や西暦が固定されていることから、その年でのみ使用が可能となるため、１年限りで使い捨てとなり、次の年には新たな年齢早見表が必要となるという問題があった。
【０００４】
これに対して、１年限りで使い捨てることなく、毎年、連続的に使用できる年齢早見表が考案されている（例えば、特許文献１）。
【０００５】
この特許文献１に開示された年齢早見表は、図８に示すように、カード１３上に、明治３３年乃至平成１５年の年号欄１０と、年号欄１０に対応する西暦欄１１と、及び年齢計算基準数値欄１２とを有している。年号欄１０と西暦欄１１には普通に年度を示す数字が記載されている。年齢計算基準数値欄１２には年齢がそのまま記入されているのではなく、昭和６３年（西暦１９８８年）を０として、ここから１年遡るごとに１を加算した数値が記入されている。例えば、昭和６２年は０＋１の１が、昭和６１年はさらに１を加えた２が記入されている。
【０００６】
そして、このような特許文献１に開示された年齢早見表では、先ず、生年月日の元号又は西暦を年号欄１０又は西暦欄１１から探し出す。次に、その元号又は西暦に対応する年齢計算基準数値欄１２の数値を読み取る。例えば、昭和４５年生まれなら、年齢計算基準数値欄１２から１８という数値を読み取る。次に、その数値に、その年の平成の年数を加算する。例えば、平成６年であれば６を加える。これによって年齢が算出される。
【０００７】
【特許文献１】
実開平７−３７６６５号公報
【０００８】
【発明が解決しようとする課題】
しかしながら、上述した特許文献１に開示された年齢早見表では、年齢計算基準数値欄１２の数値を読み取り、その数値を元号に加算するものであるため、その計算が煩雑であり、元号や西暦に対応する年齢を直感的に把握することが困難であった。
【０００９】
さらに、上述した特許文献１に開示された年齢早見表では、年齢から生年を求める際には、上述した計算を逆算する必要があり、その逆算が煩雑であり、年齢に対応した生年の元号や西暦を直感的に把握することが困難であるという問題があった。
【００１０】
そこで、本発明は以上の点に鑑みてなされたもので、煩雑な計算を要することなく、生年の元号や西暦に対応する年齢や、年齢に対応する生年を直感的に把握し、調べることのできる年齢早見表及び手帳用紙を提供することをその課題とする。
【００１１】
【課題を解決するための手段】
上記課題を解決するために、本発明の年齢早見表は、円板上に元号及び元号に対応する西暦を放射状に順次表示した誕生データ円板と、誕生データ円板と同心円をなす円板上に、０に１ずつ加算した数値を、元号及び西暦と対比可能に、放射状に順次表示した年齢表示円板と、重ねられた誕生データ円板と年齢表示円板とを回転可能に連結する回転軸部とを有する。
【００１２】
このような本発明によれば、誕生データ円板又は年齢表示円板を回転させ、年齢表示円板の０を、誕生データ円板上に表示された現在の元号又は西暦に合わせることにより、年齢表示円板上の数値（年齢）、元号、又は西暦を読み取ることにより、その年齢に対応した生年の元号や西暦、又は元号や西暦に対応した年齢を調べることができる。
【００１３】
誕生データ円板又は年齢表示円板を回転させるだけで、年齢に対応した生年の元号や西暦、又は元号や西暦に対応した年齢が対比可能に表示させることができるため、煩雑な計算を要することなく、年齢や生年を直感的に把握することができる。
【００１４】
上記発明においては、誕生データ円板データには、表示された元号又は西暦に対応させて、その年の十二支が放射状に順次表示されていることが好ましい。この場合には、誕生データ円板又は年齢表示円板を回転させるだけで、その年齢や、生年から十二支を簡単に調べることができる。
【００１５】
上記発明においては、回転軸部に回転可能に連結され、誕生データ円板の表裏から視認可能に、誕生データ円板上の元号又は西暦を指し示す生年表示部を有し、誕生データ円板の裏面には、誕生データ円板の表面に表示された元号又は西暦に対応した位置に、その年に関する情報が放射状に表示されていることが好ましい。
【００１６】
なお、この年に関する情報としては、西暦や元号の他、例えば、その年に起きた事件や当時の物価（鉄道の初乗り運賃や、代表的な飲食物の値段等）の情報が含まれる。
【００１７】
そして、この場合には、年齢早見表の表面において年齢や生年を調べ、調べられた元号や西暦が表示された箇所に生年表示部を合わせておき、裏面において生年表示部が指し示す年に関する情報を読み取ることによって、その生年当時の情報を簡単に知ることができる。また、この結果、年齢早見表の裏面のスペースを利用してより多くの情報を一つの年齢早見表に記述することができるとともに、その情報を簡単に検索することが可能となる。
【００１８】
上記発明においては、年に関する情報は、コンピュータで読み取り可能な形態で表示されていることが好ましい。なお、このコンピュータで読み取り可能な形態とは、例えば、バーコードや磁気等が含まれる。この場合には、当該年齢早見表を用いて調べた結果を、パーソナルコンピュータ等のコンピュータに簡単に入力することができ、コンピュータの操作に不慣れな者であっても、年号や西暦、年齢、干支、その年の情報を簡単に入力することができる。
【００１９】
上述した年齢早見表は、その端部に連結用穴が複数設けられた台紙上に取り付けて手帳用紙とすることができる。この手帳用紙によれば、システム手帳やファイル等に上記年齢早見表を連結することが可能となり、形態や保管、他のファイリング情報との連携等を容易とすることができる。
【００２０】
【発明の実施の形態】
［第１実施形態］
（基本構成）
本発明に係る年齢早見表の第１実施形態について、図面を参照しつつ説明する。図１は、本実施形態に係る年齢早見表の概略構成を示す上面図であり、図２は、その側面図である。
【００２１】
図１及び図２に示すように、本実施形態に係る年齢早見表は、円板上に元号及びこの元号に対応する西暦を放射状に順次表示した誕生データ円板２と、誕生データ円板２と同心円をなす円板上に、０に１ずつ加算した数値を、元号及び西暦と対比可能に、放射状に順次表示した年齢表示円板１と、重ねられたこれらの誕生データ円板２と年齢表示円板１とを回転可能に連結する回転軸部９とを有している。なお、前記誕生データ円板２には、表示された元号又は西暦に対応させて、その年の十二支が放射状に順次表示されている。
【００２２】
詳述すると、本実施形態に係る年齢早見表は、薄いプラスチック円板２枚を重ねた形状で、上側円板と下側円板は、円中心より独立して自由に回転する構造に組み立てられ、１枚の円板を、外周沿いに年齢の０から、ある年齢までの数字が表示された年齢表示円板１とし、あとの１枚は誕生データ円板２として、西暦表示３、元号表示４、十二支表示５が表示されている。
【００２３】
なお、本実施形態において年齢表示円板１と誕生データ円板２の半径が同一となっており、上側円板となる年齢表示円板１は、年齢表示６以外の部分が透明となっており、下側円板である誕生データ円板２の上面に表記された各表示３〜５が、年齢表示円板１を通して見ることができるようになっている。
【００２４】
このような年齢早見表の使用方法は、以下の通りである。
【００２５】
先ず、使用する前に年齢表示円板１のゼロ表示部分を、誕生データ円板２の今年の元号表示４、西暦表示３に回転して合わせる。
【００２６】
年齢情報を入手した場合、その入手した年齢情報と同じ年齢表示円板１の年齢表示６を見るとともに、その人の誕生データ円板２の列を見て十二支表示５、元号表示４、西暦表示３、がわかる。
【００２７】
元号情報を入手した場合入手した元号情報と同じ誕生データ円板２の元号表示４を見て、その列の十二支表示５、西暦表示３、年齢表示円板１の年齢表示６、がわかる。
【００２８】
西暦情報を入手した場合入手した西暦情報と同じ誕生データ円板２の西暦表示３を見て、その列の元号表示４、十二支表示５、年齢表示円板１の年齢表示６、がわかる。これにより、誕生各種データが即座にわかる。
【００２９】
なお、新年を向かえた際には、年齢表示円板１のゼロ表示部分を、誕生データ円板２の新年の元号表示４、西暦表示３、に合わせ直すことにより複数年先まで使用できる。
【００３０】
（変更例）
なお、上記実施形態では、図１に示すように、円板上において、内側から年齢表示６、十二支表示５、元号表示４及び西暦表示３の順に配置したが、本発明はこれに限定されるものではなく、利用者の年齢や国籍に応じて、その表示順を変更することができる。
【００３１】
例えば、図３（ａ）に示すように、内側から年齢表示６、西暦表示３、十二支表示５及び元号表示４の順とすることができる。また、図３（ｂ）に示すように、内側から十二支表示５、元号表示４、年齢表示６及び西暦表示３の順としてもよい。さらに、図３（ｃ）に示すように、十二支表示５、元号表示４、西暦表示３及び年齢表示６の順とすることもできる。
【００３２】
また、図４に示すように、上面となる年齢表示円板１の中央に、十二支の読み方や意味、イラスト等を表記した十二支説明部１ａを設け、幼児や外国人が容易に使用できるように、その利便性を高めるようにしてもよい。
【００３３】
さらに、図５に示すように、上記年齢早見表を、システム手帳等に連結可能な台紙８に取り付けて手帳用紙として、携帯性を高めてもよい。すなわち、同図に示すように、端部に連結用穴８ａが複数設けられた台紙上に、上記年齢早見表を取り付け手帳用紙を構成する。このとき、回転軸部９は、年齢表示円板１及び誕生データ円板２及び台紙８を貫通させて取り付け、年齢表示円板１及び誕生データ円板２が台紙８上で回転できるようにする。この場合には、システム手帳やファイル等に上記年齢早見表を連結することが可能となり、形態や保管、他のファイリング情報との連携等を容易とすることができる。
【００３４】
［第２実施形態］
次いで、本発明の第２実施形態について説明する。図６（ａ）は、第２実施形態に係る年齢早見表を示す上面図であり、図６（ｂ）は、その側面図、図６（ｃ）は、その裏面を示す拡大図である。
【００３５】
同図に示すように、本実施形態に係る年齢早見表では、回転軸部９に回転可能に連結され、誕生データ円板２の表裏から視認可能に、誕生データ円板２上の元号又は西暦を指し示す生年表示部７１を有し、誕生データ円板２の裏面には、誕生データ円板２の表面に表示された元号又は西暦に対応した位置に、その年に関する情報２１が放射状に表示されている。
【００３６】
なお、この年に関する情報としては、西暦や元号の他、例えば、その年に起きた事件や当時の物価（鉄道の初乗り運賃や、代表的な飲食物の値段等）の情報とすることができる。
【００３７】
本実施形態において生年表示部７１は、透明な円板である生年表示板７の外周部に、その表裏から可視可能に印刷された矢印であり、生年表示板７を回転させることにより、誕生データ円板２の外周において、誕生データ円板２上に表示された各表示３〜５を指し示すことができるように構成されている。
【００３８】
そして、このような本実施形態に係る年齢早見表では、先ず、第１実施形態で説明した手順により、表側において、年齢に応じた元号や西暦を調べ、その調べた元号や年号に生年表示部７１を合わせる。次いで、その状態で年齢早見表の裏面において、生年表示部７１が指し示す情報２１を読むことによって、その人の誕生年に関する情報を知ることができる。
【００３９】
［第３実施形態］
次いで、本発明の第３実施形態について説明する。図７（ａ）は、第３実施形態に係る年齢早見表を示す上面拡大図であり、図７（ｂ）は、その側面図、図７（ｃ）は、パーソナルコンピュータとの関係を示す説明図である。
【００４０】
図７（ａ）及び（ｂ）に示すように、本実施形態に係る年齢早見表では、上述した第２実施形態と同様に、回転軸部９に回転可能に連結され、誕生データ円板２の表裏から視認可能に、誕生データ円板２上の元号又は西暦を指し示す生年表示部７１を有している。そして、誕生データ円板２の裏面には、誕生データ円板２の表面に表示された元号又は西暦に対応した位置に、その年に関する情報が、コンピュータで読み取り可能な形態で放射状に表示されている。なお、これらの情報は、本実施形態では、バーコード２２ａ及び２２ｂで表示されている。
【００４１】
詳述すると、誕生データ円板２の裏面に、バーコード２２ａにより、その年の元号や西暦、その年に起きた事件等の情報が、表面の表示３〜５に対応した位置に表示されている。また、年齢表示円板１の裏面の年齢表示６に対応した位置に、バーコード２２ｂにより、年齢を表示する数値が表示されている。
【００４２】
これらバーコード２２ａ及び２２ｂは、これらが組み合わせられることによって一つのバーコードを形成するようになっており、年齢表示円板１及び誕生データ円板２を回転させることにより、バーコード２２ａとバーコード２２ｂの組み合わせを変えることができる。そして、組み合わせられて形成されたバーコードは、パーソナルコンピュータ２２ｄに接続されたバーコードリーダ２２ｃにより読み込み、データをパーソナルコンピュータ２２ｄに入力することができるようになっている。
【００４３】
そして、このような本実施形態に係る年齢早見表では、先ず、上述した第１及び第２実施形態で説明した手順により、表側において、年齢に応じた元号や西暦を調べる。このとき、表面において、年齢表示６と、元号表示４等とを合わせることにより、裏面において、その年号や年齢に対応したバーコード２２ａ及び２２ｂが組み合わされて、一つのバーコードを形成する。
【００４４】
次いで、調べた元号や年号に生年表示部７１を合わせ、その状態で年齢早見表の裏面において、生年表示部７１が指し示す位置のバーコード２２ａ及び２２ｂをバーコードリーダ２２ｃで読み取ることにより、その人の年齢、及び生年の元号や西暦、その年に起きた事件等の情報をパーソナルコンピュータ２２ｄに取り込むことができる。
【００４５】
このような本実施形態の年齢早見表によれば、年齢早見表を用いて調べた結果を、パーソナルコンピュータ２２ｄに簡単に入力することができ、コンピュータの操作に不慣れな者であっても、年号や西暦、年齢、干支、その年の情報を簡単に入力することができる。
【００４６】
【発明の効果】
以上説明したように本発明の年齢早見表及び手帳用紙によれば、元号が変化しているために、生年の元号から年齢等がわかりにくい場合であっても、円板を回転させるという簡単な操作により、煩雑な計算を要することなく、生年の元号や西暦に対応する年齢や、年齢に対応する生年を直感的に把握し、調べることができる。
【図面の簡単な説明】
【図１】第１実施形態に係る年齢早見表の概略構成を示す上面図である。
【図２】第１実施形態に係る年齢早見表の概略構成を示す側面図である。
【図３】第１実施形態の変更例を示す説明図である。
【図４】第１実施形態の変更例を示す上面図である。
【図５】第１実施形態の変更例に係る手帳用紙を備えたシステム手帳を示す上面図である。
【図６】（ａ）は、第２実施形態に係る年齢早見表を示す上面図であり、（ｂ）は、その側面図、（ｃ）は、その裏面を示す拡大図である。
【図７】第３実施形態に係る年齢早見表を示す説明図であり、（ａ）は、その上面拡大図、（ｂ）はその側面図、（ｃ）は、パーソナルコンピュータとの関係を示す説明図である。
【図８】従来の年齢早見表を示す上面図である。
【符号の説明】
１…年齢表示円板
１ａ…十二支説明部
２…誕生データ円板
３…西暦表示
４…元号表示
５…十二支表示
６…年齢表示
７…生年表示板
８…台紙
８ａ…連結用穴
９…回転軸部
１０…年号欄
１１…西暦欄
１２…年齢計算基準数値欄
１３…カード
１４…年号欄
２１…情報
２２ａ…バーコード
２２ｂ…バーコード
２２ｃ…バーコードリーダ
２２ｄ…パーソナルコンピュータ
７１…生年表示部
【図１】
2004164533.tif 000003
【図２】
2004164533.tif 000004
【図３】
2004164533.tif 000005
【図４】
2004164533.tif 000006
【図５】
2004164533.tif 000007
【図６】
2004164533.tif 000008
【図７】
2004164533.tif 000009
【図８】
2004164533.tif 000010